【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
切り替え方法であって、
基地局は、狭帯域幅受信モードの切り替えメッセージを設定し、前記切り替えメッセージに、端末に指示する、前記狭帯域幅受信モードに入る時間及び前記狭帯域幅受信モードに入る時の周波数帯域における狭帯域幅の位置が含まれることと、
前記端末へ前記切り替えメッセージを送信し、前記切り替えメッセージに示される狭帯域幅に切り替えて情報を受信するように前記端末に指示し、ここで、前記狭帯域幅の幅がシステム帯域幅の幅より小さいこととを含む、前記切り替え方法。
【請求項２】
前記切り替え方法はさらに、
前記狭帯域幅に位置する物理ダウンリンク制御チャネルで前記端末に対するダウンリンク制御情報を送信することを含み、
前記ダウンリンク制御情報が、前記端末に対応する端末特定サーチスペースに位置し且つ前記端末に対応する制御チャネルユニットアグリゲーションレベルを使用することを特徴とする
請求項１に記載の切り替え方法。
【請求項３】
前記切り替え方法はさらに、
前記端末が前記狭帯域幅受信モードで狭帯域信号を検出する持続時間長及び狭帯域信号を検出する間隔周期を予め設定し、前記狭帯域信号を検出する持続時間長及び狭帯域信号を検出する間隔周期を前記端末に送信すること、
又は、前記端末へ狭帯域信号の検出を停止する時刻及び信号の検出を再度開始する時刻の情報を送信することを含むことを特徴とする
請求項１又は２に記載の切り替え方法。
【請求項４】
前記端末が前記切り替えメッセージに示される狭帯域幅に切り替えて情報を受信した後、前記切り替え方法はさらに、
前記端末へ前記周波数帯域インデックスと切り替え遅延を送信し、他の狭帯域幅又は他のシステム帯域幅に切り替えるように前記端末に指示することを含み、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられることを特徴とする
請求項３に記載の切り替え方法。
【請求項５】
前記端末が前記狭帯域幅受信モードにある時に、前記切り替え方法はさらに、
前記狭帯域幅の物理ダウンリンク制御チャネルで、前記端末のために、ダウンリンクデータを含む物理ダウンリンク共有チャネルをスケジューリングし、ここで、前記ダウンリンクデータが予め設定されたキャパシティより小さいことを含むことを特徴とする
請求項３に記載の切り替え方法。
【請求項６】
前記物理ダウンリンク共有チャネルの周波数領域リソースが前記狭帯域幅内に位置し、前記狭帯域幅の物理ダウンリンク制御チャネルで送信されたダウンリンク制御情報に、前記物理ダウンリンク共有チャネルに割り当てられた周波数領域リソースに対応するリソースインデックス及び前記ダウンリンクデータの変調符号化方式が含まれることを特徴とする
請求項５に記載の切り替え方法。
【請求項７】
前記端末が前記狭帯域幅受信モードにある時に、前記切り替え方法はさらに、
前記狭帯域幅の物理ダウンリンク制御チャネルで、前記端末へアップリンク伝送に対する確認フィードバック信号とハイブリッド自動再送プロセス識別子を送信することを含むことを特徴とする
請求項３に記載の切り替え方法。
【請求項８】
切り替え方法であって、
端末は、基地局によって設定された狭帯域幅受信モードの切り替えメッセージを受信し、前記切り替えメッセージに、端末に指示する、前記狭帯域幅受信モードに入る時間及び前記狭帯域幅受信モードに入る時の周波数帯域における狭帯域幅の位置が含まれることと、
前記切り替えメッセージに示される狭帯域幅に切り替えて情報を受信し、ここで、前記狭帯域幅の幅がシステム帯域幅の幅より小さいこととを含む、前記切り替え方法。
【請求項９】
前記切り替え方法はさらに、
前記狭帯域幅に位置する物理ダウンリンク制御チャネルにおける前記端末に対するダウンリンク制御情報を受信することを含み、
前記ダウンリンク制御情報が、前記端末に対応する端末特定サーチスペースに位置し且つ前記端末に対応する制御チャネルユニットアグリゲーションレベルを使用することを特徴とする
請求項８に記載の切り替え方法。
【請求項１０】
前記切り替え方法はさらに、
前記基地局によって予め設定された、前記端末が前記狭帯域幅受信モードで狭帯域信号を検出する持続時間長及び狭帯域信号を検出する間隔周期を受信し、前記間隔周期内で受信機をオフにすること、
又は、前記基地局から送信された、狭帯域信号の検出を停止する時刻及び信号の検出を再度開始する時刻の情報を受信し、狭帯域信号の検出を停止する時刻に受信機をオフにし、信号の検出を再度開始する時刻に受信機をオンにすることを含むことを特徴とする
請求項８又は９に記載の切り替え方法。
【請求項１１】
前記端末が前記切り替えメッセージに示される狭帯域幅に切り替えて情報を受信した後、前記切り替え方法はさらに、
前記基地局から送信された周波数帯域インデックスと切り替え遅延を受信し、前記周波数帯域インデックスと切り替え遅延に基づいて他の狭帯域幅又は他のシステム帯域幅に切り替えることを含み、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられることを特徴とする
請求項１０に記載の切り替え方法。
【請求項１２】
前記端末が前記狭帯域幅受信モードにある時に、前記切り替え方法はさらに、
前記狭帯域幅の物理ダウンリンク制御チャネルで、前記基地局によって前記端末のためにスケジューリングされた、ダウンリンクデータを含む物理ダウンリンク共有チャネルを受信し、ここで、前記ダウンリンクデータが予め設定されたキャパシティより小さいことを含むことを特徴とする
請求項１０に記載の切り替え方法。
【請求項１３】
前記物理ダウンリンク共有チャネルの周波数領域リソースが前記狭帯域幅内に位置し、前記狭帯域幅の物理ダウンリンク制御チャネルで受信されたダウンリンク制御情報に、前記物理ダウンリンク共有チャネルに割り当てられた周波数領域リソースに対応するリソースインデックス及び前記ダウンリンクデータの変調符号化方式が含まれることを特徴とする
請求項１２に記載の切り替え方法。
【請求項１４】
前記端末が前記狭帯域幅受信モードにある時に、前記切り替え方法はさらに、
前記狭帯域幅の物理ダウンリンク制御チャネルで、前記基地局から送信された、アップリンク伝送に対する確認フィードバック信号とハイブリッド自動再送プロセス識別子を受信することを含むことを特徴とする
請求項１０に記載の切り替え方法。
【請求項１５】
基地局であって、
狭帯域幅受信モードの切り替えメッセージを設定するように構成され、前記切り替えメッセージに、端末に指示する、前記狭帯域幅受信モードに入る時間及び前記狭帯域幅受信モードに入る時の周波数帯域における狭帯域幅の位置が含まれる設定ユニットと、
前記端末へ前記切り替えメッセージを送信し、前記切り替えメッセージに示される狭帯域幅に切り替えて情報を受信するように前記端末に指示するように構成され、ここで、前記狭帯域幅の幅がシステム帯域幅の幅より小さい送信ユニットとを備える、前記基地局。
【請求項１６】
前記送信ユニットは、さらに前記狭帯域幅に位置する物理ダウンリンク制御チャネルで前記端末に対するダウンリンク制御情報を送信するように構成され、
前記ダウンリンク制御情報が、前記端末に対応する端末特定サーチスペースに位置し且つ前記端末に対応する制御チャネルユニットアグリゲーションレベルを使用することを特徴とする
請求項１５に記載の基地局。
【請求項１７】
前記設定ユニットはさらに前記端末が前記狭帯域幅受信モードで狭帯域信号を検出する持続時間長及び狭帯域信号を検出する間隔周期を予め設定するように構成され、前記送信ユニットはさらに前記狭帯域信号を検出する持続時間長及び狭帯域信号を検出する間隔周期を前記端末に送信するように構成され、
又は、前記送信ユニットはさらに前記端末へ狭帯域信号の検出を停止する時刻及び信号の検出を再度開始する時刻の情報を送信するように構成されることを特徴とする
請求項１５又は１６に記載の基地局。
【請求項１８】
前記送信ユニットはさらに前記端末が前記切り替えメッセージに示される狭帯域幅に切り替えて情報を受信した後、前記端末へ前記周波数帯域インデックスと切り替え遅延を送信し、他の狭帯域幅又は他のシステム帯域幅に切り替えるように前記端末に指示するように構成され、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられることを特徴とする
請求項１７に記載の基地局。
【請求項１９】
前記送信ユニットはさらに前記端末が前記狭帯域幅受信モードにある時に、前記狭帯域幅の物理ダウンリンク制御チャネルで、前記端末のために、ダウンリンクデータを含む物理ダウンリンク共有チャネルをスケジューリングするように構成され、ここで、前記ダウンリンクデータが予め設定されたキャパシティより小さいことを特徴とする
請求項１７に記載の基地局。
【請求項２０】
前記物理ダウンリンク共有チャネルの周波数領域リソースが前記狭帯域幅内に位置し、前記狭帯域幅の物理ダウンリンク制御チャネルで送信されたダウンリンク制御情報に、前記物理ダウンリンク共有チャネルに割り当てられた周波数領域リソースに対応するリソースインデックス及び前記ダウンリンクデータの変調符号化方式が含まれることを特徴とする
請求項１９に記載の基地局。
【請求項２１】
前記送信ユニットはさらに前記端末が前記狭帯域幅受信モードにある時に、前記狭帯域幅の物理ダウンリンク制御チャネルで、前記端末へアップリンク伝送に対する確認フィードバック信号とハイブリッド自動再送プロセス識別子を送信するように構成されることを特徴とする
請求項１７に記載の基地局。
【請求項２２】
端末であって、
基地局によって設定された狭帯域幅受信モードの切り替えメッセージを受信するように構成され、前記切り替えメッセージに、端末に指示する、前記狭帯域幅受信モードに入る時間及び前記狭帯域幅受信モードに入る時の周波数帯域における狭帯域幅の位置が含まれる受信ユニットと、
前記切り替えメッセージに示される狭帯域幅に切り替えて情報を受信するように構成され、ここで、前記狭帯域幅の幅がシステム帯域幅の幅より小さい切り替えユニットとを備える、前記端末。
【請求項２３】
前記受信ユニットは、さらに前記狭帯域幅に位置する物理ダウンリンク制御チャネルにおける前記端末に対するダウンリンク制御情報を受信するように構成され、
前記ダウンリンク制御情報が、前記端末に対応する端末特定サーチスペースに位置し且つ前記端末に対応する制御チャネルユニットアグリゲーションレベルを使用することを特徴とする
請求項２２に記載の端末。
【請求項２４】
前記受信ユニットは、さらに前記基地局によって予め設定された、前記端末が前記狭帯域幅受信モードで狭帯域信号を検出する持続時間長及び狭帯域信号を検出する間隔周期を受信し、前記間隔周期内で受信機をオフにするように構成され、
又は、前記基地局から送信された、狭帯域信号の検出を停止する時刻及び信号の検出を再度開始する時刻の情報を受信し、狭帯域信号の検出を停止する時刻に受信機をオフにし、信号の検出を再度開始する時刻に受信機をオンにするように構成されることを特徴とする
請求項２２又は２３に記載の端末。
【請求項２５】
前記受信ユニットは、さらに前記端末が前記切り替えメッセージに示される狭帯域幅に切り替えて情報を受信した後、前記基地局から送信された周波数帯域インデックスと切り替え遅延を受信するように構成され、前記切り替えユニットは、さらに前記周波数帯域インデックスと切り替え遅延に基づいて他の狭帯域幅又は他のシステム帯域幅に切り替えるように構成され、
ここで、前記周波数帯域インデックスが、異なる周波数領域位置に位置する前記端末が切り替える帯域幅を示すことに用いられ、前記切り替え遅延が、現在の時刻から前記端末が前記周波数帯域インデックスに示される帯域幅で信号を受信し始める時刻までの時間オフセットを示すことに用いられることを特徴とする
請求項２４に記載の端末。
【請求項２６】
前記端末が前記狭帯域幅受信モードにある時に、前記受信ユニットはさらに前記狭帯域幅の物理ダウンリンク制御チャネルで、前記基地局によって前記端末のためにスケジューリングされた、ダウンリンクデータを含む物理ダウンリンク共有チャネルを受信するように構成され、ここで、前記ダウンリンクデータが予め設定されたキャパシティより小さいことを特徴とする
請求項２４に記載の端末。
【請求項２７】
前記物理ダウンリンク共有チャネルの周波数領域リソースが前記狭帯域幅内に位置し、前記狭帯域幅の物理ダウンリンク制御チャネルで受信されたダウンリンク制御情報に、前記物理ダウンリンク共有チャネルに割り当てられた周波数領域リソースに対応するリソースインデックス及び前記ダウンリンクデータの変調符号化方式が含まれることを特徴とする
請求項２６に記載の端末。
【請求項２８】
前記端末が前記狭帯域幅受信モードにある時に、前記受信ユニットはさらに前記狭帯域幅の物理ダウンリンク制御チャネルで、前記基地局から送信されたアップリンク伝送に対する確認フィードバック信号とハイブリッド自動再送プロセス識別子を受信するように構成されることを特徴とする
請求項２４に記載の端末。